(57)【要約】【課題】ユーザーの周囲の環境による影響、例えばゴルフにおけるラウンド位置などによる影響も考慮した解析結果をアドバイスに適用するデータ処理方法を提供する。【解決手段】ユーザー２の運動データ、および前記運動データに係る位置情報を記憶する記憶領域（情報処理装置５０）を備えた運動解析システム１におけるデータ処理方法であって、前記ユーザーの位置情報を取得する工程（ステップＳ１００）と、取得された前記位置情報から、所定の位置範囲における過去の運動データを検索する工程（ステップＳ１１０）と、前記過去の運動データに基づいて、アドバイス情報を出力する工程（ステップＳ１２０）と、を含む。【選択図】図７
2018130203.tif 000002
【特許請求の範囲】
【請求項１】
ユーザーの運動データ、および前記運動データに係る位置情報を記憶する記憶領域を備えた運動解析システムにおけるデータ処理方法であって、
前記ユーザーの位置情報を取得する工程と、
取得された前記位置情報から、所定の位置範囲における過去の運動データを検索する工程と、
前記過去の運動データに基づいて、アドバイス情報を出力する工程と、を含むことを特徴とするデータ処理方法。
【請求項２】
前記運動データは、複数の異なるユーザーの運動データであることを特徴とする請求項１の記載のデータ処理方法。
【請求項３】
前記運動データは、ゴルフに係る運動解析情報であり、
前記位置情報は、ゴルフのラウンドに係る位置データであることを特徴とする請求項１または請求項２に記載のデータ処理方法。
【請求項４】
ゴルフレベルを受け付ける工程をさらに含み、
前記アドバイス情報を出力する工程では、
前記ゴルフレベルに沿った前記運動解析情報の傾向を出力することを特徴とする請求項３に記載のデータ処理方法。
【請求項５】
前記アドバイス情報は、ゴルフにおける打球の飛距離、打ち出し方向、およびゴルフクラブ情報の少なくともいずれかであることを特徴とする請求項３または請求項４に記載のデータ処理方法。
【請求項６】
ユーザーの運動データ、および前記運動データに係る位置情報を記憶する記憶領域を備えた運動解析システムにおけるデータ処理に係るプログラムであって、
前記ユーザーの位置情報を取得する工程と、
取得された前記位置情報から、所定の位置範囲における過去の運動データを検索する工程と、
前記過去の運動データに基づいて、アドバイス情報を出力する工程と、を含むプログラム。
【請求項７】
ユーザーの運動データ、および前記運動データに係る位置情報を記憶する記憶領域を備えた運動解析システムのデータ処理に係るプログラムを記憶する記憶媒体であって、
前記ユーザーの位置情報を取得する工程と、
取得された前記位置情報から、所定の位置範囲における過去の運動データを検索する工程と、
前記過去の運動データに基づいて、アドバイス情報を出力する工程と、をコンピューターに実行させるプログラムを記憶している記憶媒体。
【請求項８】
ユーザーの運動データ、前記運動データに係る位置情報、および前記ユーザーの位置情報を取得し、
前記ユーザーの位置情報に基づく所定の位置範囲における過去の運動データに基づいて、アドバイス情報を出力することを特徴とする運動解析装置。
【請求項９】
前記ユーザーの位置情報に基づきコース情報と前記アドバイス情報とを出力することを特徴とする請求項８に記載の運動解析装置。
【発明の詳細な説明】
【技術分野】
【０００１】
本発明は、例えばユーザーの運動データや運動データに係る位置情報などを処理するデータ処理方法、プログラム、記憶媒体、および運動解析装置に関する。
【背景技術】
【０００２】
従来、例えばゴルフのスイングのような運動を解析する解析方法として、ユーザー、もしくは、例えばゴルフクラブなどの運動器具に取り付けられた慣性センサーから出力されたデータや撮像装置で撮像されたデータに基づいて、ユーザーの運動を解析する解析方法が提案されていた（例えば、特許文献１、特許文献２参照）。
【先行技術文献】
【特許文献】
【０００３】
【特許文献１】特開２０１２−３１５２９号公報
【特許文献２】特開２０１３−９７７１号公報
【発明の概要】
【発明が解決しようとする課題】
【０００４】
しかしながら、上述のような従来の運動の解析方法では、ユーザーの運動に係るデータに基づいた解析方法であったため、ユーザーの周囲の環境による影響、例えばゴルフにおけるラウンド位置などによる影響が何ら考慮されていなかった。そのため、運動解析した情報（解析結果）をアドバイスに適用しても、ユーザーが納得できる結果（アドバイス）とならないことがあった。
【課題を解決するための手段】
【０００５】
本発明は、上述の課題の少なくとも一部を解決するためになされたものであり、以下の形態または適用例として実現することが可能である。
【０００６】
［適用例１］本適用例に係るデータ処理方法は、ユーザーの運動データ、および前記運動データに係る位置情報を記憶する記憶領域を備えた運動解析システムにおけるデータ処理方法であって、前記ユーザーの位置情報を取得する工程と、取得された前記位置情報から、所定の位置範囲における過去の運動データを検索する工程と、前記過去の運動データに基づいて、アドバイス情報を出力する工程と、を含むことを特徴とする。
【０００７】
本適用例のデータ処理方法によれば、ユーザーの位置情報に基づいて、記憶領域に蓄積されている運動情報（ユーザーの運動データ、および運動データに係る位置情報）から検索されて抽出された所定の位置範囲における過去の運動データの傾向などのアドバイス情報が出力される。これにより、ユーザーの現在の位置での運動において、この現在位置に係る過去の運動データの一般的な傾向を示す情報を含めた解析情報を、ユーザーに提示することができる。したがって、ユーザーは、この一般的な傾向を示す情報を基に戦略を立てながら運動が行えるようになり、より納得性を得ることのできる解析結果（アドバイス情報）を得ることができる。
【０００８】
［適用例２］上記適用例に記載のデータ処理方法において、前記運動データは、複数の異なるユーザーの運動データであることが好ましい。
【０００９】
本適用例によれば、記憶されている複数の異なるユーザーの運動データから、所定の位置範囲におけるアドバイス情報を出力する。これにより、ユーザーに提示される現在位置に係る過去の運動データの一般的な傾向を示す情報を含めた解析情報の信頼度を高めることができる。
【００１０】
［適用例３］上記適用例に記載のデータ処理方法において、前記運動データは、ゴルフに係る運動解析情報であり、前記位置情報は、ゴルフのラウンドに係る位置データであることが好ましい。
【００１１】
本適用例によれば、ユーザーのゴルフのラウンドに係る位置情報に基づいて、記憶領域に蓄積されている運動解析情報（ゴルフスイングの解析データ）から検索されて抽出された所定の位置範囲における過去の運動解析情報の傾向が出力される。これにより、ユーザーの現在のラウンド位置からショットする際の、この現在位置に係る過去の運動解析情報の一般的な傾向を示す情報を含めたアドバイス情報を、ユーザーに提示することができる。したがって、ユーザーは、この一般的な傾向を示すアドバイス情報を基に戦略を立てながらラウンドが行えるようになり、より納得性を得ることのできるゴルフスイングに係る解析結果（アドバイス情報）を得ることができる。
【００１２】
［適用例４］上記適用例に記載のデータ処理方法において、ゴルフレベルを受け付ける工程をさらに含み、前記アドバイス情報を出力する工程では、前記ゴルフレベルに沿った前記運動解析情報の傾向を出力することが好ましい。
【００１３】
本適用例によれば、ユーザーは、ユーザー自身と同程度の技量のゴルフレベルに対応した運動解析情報の傾向を得ることができる。換言すれば、ユーザーは、ユーザー自身のゴルフレベルに合った、より的確なゴルフスイングに係る解析結果（アドバイス情報）を得ることができる。
【００１４】
なお、ここでのゴルフレベルとは、例えばスコアレベルに基づいて分類されるプレーヤーの技量の分類として示すことができる。例えば、ハンディキャップがシングル以下を「上級者」、スコアアベレージが８０〜９０を「中級者」、スコアアベレージが９０台（１００切り）を「初級者」、スコアアベレージが１００以上を「初任者」、などのレベル分けとすることができる。
【００１５】
［適用例５］上記適用例に記載のデータ処理方法おいて、前記アドバイス情報は、ゴルフにおける打球の飛距離、打ち出し方向、およびゴルフクラブ情報の少なくともいずれかであることが好ましい。
【００１６】
本適用例によれば、ユーザーは、ゴルフにおける打球の飛距離、打ち出し方向、およびゴルフクラブ情報の少なくともいずれかをアドバイス情報として得ることができ、現在位置におけるスイングの、より詳細、且つ的確なアドバイス情報を得ることができる。
【００１７】
［適用例６］本適用例に係るプログラムは、ユーザーの運動データ、および前記運動データに係る位置情報を記憶する記憶領域を備えた運動解析システムにおけるデータ処理に係るプログラムであって、前記ユーザーの位置情報を取得する工程と、取得された前記位置情報から、所定の位置範囲における過去の運動データを検索する工程と、前記過去の運動データに基づいて、アドバイス情報を出力する工程と、を含む。
【００１８】
本適用例のプログラムによれば、ユーザーの位置情報に基づいて、記憶領域に蓄積されている運動情報（ユーザーの運動データ、および運動データに係る位置情報）から検索されて抽出された所定の位置範囲における過去の運動データの傾向などのアドバイス情報を出力することができる。そして、ユーザーの現在の位置での運動において、この現在位置に係る過去の運動データの一般的な傾向を示す情報を含めた解析情報を、ユーザーに提示することができる。これにより、ユーザーは、この一般的な傾向を示す情報を基に戦略を立てながら運動が行えるようになり、より納得性を得ることのできる解析結果（アドバイス情報）を得ることができる。
【００１９】
［適用例７］本適用例に係る記憶媒体は、ユーザーの運動データ、および前記運動データに係る位置情報を記憶する記憶領域を備えた運動解析システムのデータ処理に係るプログラムを記憶する記憶媒体であって、前記ユーザーの位置情報を取得する工程と、取得された前記位置情報から、所定の位置範囲における過去の運動データを検索する工程と、前記過去の運動データに基づいて、アドバイス情報を出力する工程と、をコンピューターに実行させるプログラムを記憶している。
【００２０】
本適用例の記憶媒体によれば、ユーザーの位置情報に基づいて、記憶領域に蓄積されている運動情報（ユーザーの運動データ、および運動データに係る位置情報）から検索されて抽出された所定の位置範囲におけるアドバイス情報を出力することができるプログラムをコンピューターに実行させることができる。これにより、ユーザーの現在の位置での運動において、この現在位置に係る過去の運動データの一般的な傾向を示す情報を含めた解析情報を、ユーザーに提示することができる。そして、ユーザーは、この一般的な傾向を示す情報を基に戦略を立てながら運動が行えるようになり、より納得性を得ることのできる解析結果（アドバイス情報）を得ることができる。
【００２１】
［適用例８］本適用例に係る運動解析装置は、ユーザーの運動データ、前記運動データに係る位置情報、および前記ユーザーの位置情報を取得し、前記ユーザーの位置情報に基づく所定の位置範囲における過去の運動データに基づいて、アドバイス情報を出力することを特徴とする。
【００２２】
本適用例の運動解析装置によれば、ユーザーの位置情報に基づいて、運動情報（ユーザーの運動データ、および運動データに係る位置情報）から抽出された所定の位置範囲におけるアドバイス情報を出力することができる。これにより、ユーザーの現在の位置での運動において、この現在位置に係る過去の運動データの一般的な傾向を示す情報を含めた解析情報を、ユーザーに提示することができる。そして、ユーザーは、この一般的な傾向を示す情報を基に戦略を立てながら運動が行えるようになり、より納得性を得ることのできる解析結果（アドバイス情報）を得ることができる。
【００２３】
［適用例９］本適用例に係る運動解析装置は、前記ユーザーの位置情報に基づきコース情報と前記アドバイス情報とを出力することが好ましい。
【００２４】
本適用例によれば、アドバイス情報とコース情報とを提示できるので、ユーザーはコース情報を参照しながらアドバイス情報が確認できる。これにより、ユーザーはアドバイス情報の理解度を高めることができる。
【図面の簡単な説明】
【００２５】
【図１】本実施形態に係る運動解析システムの構成例を示す図。
【図２】センサーユニットおよびスイング解析装置を示す図。
【図３】センサーユニットの装着位置および向きの一例を示す図。
【図４】ユーザーが打球するまでに行う動作の手順を示す図。
【図５】スイング動作についての説明図。
【図６】センサーユニットおよびスイング解析装置の構成例を示す図。
【図７】運動解析システムにおけるデータ処理方法の実施形態１に係る工程を説明するフローチャート。
【図８】過去の運動データの傾向に関するアドバイス項目を説明するブロック図。
【図９Ａ】現在位置に係る過去の運動データの傾向をアドバイスするアドバイス表示例１を示す図。
【図９Ｂ】現在位置に係る過去の運動データの傾向をアドバイスするアドバイス表示例２を示す図。
【図１０】運動解析システムにおけるデータ処理方法の実施形態２に係る工程を説明するフローチャート。
【図１１】ゴルフレベルの分類例を説明する図。
【発明を実施するための形態】
【００２６】
以下、本発明の好適な実施形態について図面を用いて詳細に説明する。なお、以下に説明する実施形態は、特許請求の範囲に記載された本発明の内容を不当に限定するものではない。また以下で説明される構成の全てが本発明の必須構成要件であるとは限らない。
【００２７】
１．運動解析システム
１−１．運動解析システムの構成
以下、図１、図２、および図３を参照し、運動解析の一例として、ゴルフのスイング（以下、ゴルフスイングという）の解析を例に挙げて、運動解析システムについて説明する。図１は、本実施形態に係る運動解析システムの構成例を示す図である。図２は、センサーユニットおよびスイング解析装置を示す図である。図３は、センサーユニットの装着位置および向きの一例を示す図である。
【００２８】
図１に示すように、本実施形態の運動解析システム１は、センサーユニット（慣性センサーの一例）１０と、スイング解析装置（運動解析装置の一例）２０と、情報処理装置５０と、を含む。なお、スイング解析装置２０には、ＧＰＳ衛星（位置情報出力部）８の電波（衛星信号）を受信し、ＧＰＳ衛星８からの電波（衛星信号）に含まれる位置情報に基づいて測位計算（位置情報の取得）する機能を含む位置情報取得部４３（図６参照）を含むことができる。また、センサーユニット１０とスイング解析装置２０との間の通信は、無線通信でもよいし、有線通信でもよい。図２に示すように、スイング解析装置２０は、パーソナルコンピューター２０ａの他、スマートフォンやタブレット等の携帯機器２０ｂ、あるいはヘッドマウントディスプレイ（ＨＭＤ：Head Mounted Display）やリスト機器等のウェアラブル端末等の各種情報端末（クライアント端末）で実現される。
【００２９】
運動解析システム１は、スイング解析装置２０とは別にスイング診断装置３０を含んで構成されても良い。ただし、スイング診断装置３０はスイング解析装置２０に含まれても良い。スイング診断装置３０は、スイング解析装置２０からの要求を処理するサーバーで実現されてもよい。スイング解析装置２０とスイング診断装置３０とは、ネットワーク４０を介して接続されても良い。ネットワーク４０は、インターネット等のワイドエリアネットワーク（ＷＡＮ：Wide Area Network）でもよいし、ローカルエリアネットワーク（ＬＡＮ：Local Area Network）でもよい。あるいは、スイング解析装置２０とスイング診断装置３０とは、例えば、近距離無線通信や有線通信により、ネットワーク４０を介さずに通信してもよい。
【００３０】
また、スイング解析装置２０は、ネットワーク４０を介して、もしくは近距離無線通信や有線通信により、ＰＣ（Personal Computer）やサーバーシステム等の情報処理装置５０と接続されることができる。この場合、情報処理装置５０は、ネットワーク４０を介してスイング解析装置２０から送付されたユーザー２の運動データや該運動データに係る位置情報などを受信し、記憶する記憶領域として機能することができる。なお、情報処理装置５０に記憶される運動データには、センサーユニット１０で計測された計測データ（生データも含む）やスイング解析装置２０で解析されたユーザー２の運動データ（運動解析情報としてのスイング解析情報を含むスイング情報）を含むことができる。
【００３１】
また、運動解析システム１は、情報処理装置５０により実現されるものには限定されない。例えば、運動解析システム１は、スイング解析装置２０により実現されてもよい。例えばスマートフォン等の携帯端末装置で構成されるスイング解析装置２０は、サーバーシステムに比べれば処理性能や記憶領域、バッテリー容量に制約があることが多いが、近年の性能向上を考慮すれば、十分な処理性能等を確保可能となることも考えられる。よって、処理性能等の要求が満たされるのであれば、スイング解析装置２０を本実施形態に係る運動解析システム１とすることが可能である。
【００３２】
また、本実施形態に係る運動解析システム１は、１つの装置により実現するものには限定されない。例えば、運動解析システム１は、スイング解析装置２０、スイング診断装置３０、および情報処理装置５０のうちの２以上の装置を含んでもよい。この場合、運動解析システム１で実行される処理は、いずれか１つの機器において実行されてもよいし、複数の機器で分散処理されてもよい。また、本実施形態に係る運動解析システム１が、スイング解析装置２０、スイング診断装置３０、および情報処理装置５０とは異なる機器を含むことも妨げられない。
【００３３】
センサーユニット１０は、例えば互いに直交関係の３軸の各軸方向の加速度と、例えば互いに直交関係の３軸の各軸回りの角速度と、を計測可能であり、図２に示すように、運動器具としての、例えばゴルフクラブ３に装着される。
【００３４】
センサーユニット１０は、例えば図３に示すように、互いに交差する（理想的には直交する）３つの検出軸（ｘ軸、ｙ軸、ｚ軸）の向きが合わせられてゴルフクラブ（運動器具の一例）３に装着される。図３では、例えばｙ軸をゴルフクラブ３のシャフトの長手方向（ゴルフクラブ３の長手方向）に、例えばｘ軸を打球のターゲット方向（打撃目標方向）に合わせるようにして、シャフトの一部に取り付けられる。好ましくは、センサーユニット１０は、打球時の衝撃が伝わりにくく、スイング時に遠心力がかかりにくいグリップに近い位置に取り付けられる。シャフトは、ゴルフクラブ３のヘッド（打撃部）３ａを除いた柄の部分であり、グリップも含まれる。ただし、センサーユニット１０は、ユーザー２の部位（例えば、手やグローブなど）に取り付けられてもよいし、腕時計などのアクセサリーに取り付けられてもよい。
【００３５】
ユーザー２は、あらかじめ決められた手順に従って、ゴルフボール４を打球するスイング動作または素振りによるスイング動作を行う。図４は、本実施形態においてユーザー２が打球するまでに行う動作の手順を示す図である。図４に示すように、ユーザー２は、まず、スイング解析装置２０を介してユーザー２の身体情報とユーザー２が使用するゴルフクラブ３に関する情報（ゴルフクラブ情報）などの入力操作を行う（Ｓ１）。
【００３６】
ユーザー２は、図４のステップＳ１において、入力画面（不図示）上で身長、性別、年齢、国などの身体情報を入力し、クラブ長（シャフトの長さ）、番手などのゴルフクラブ情報を入力する。なお、身体情報に含まれる情報は、これに限られず、例えば、身体情報は、身長に代えてまたは身長とともに腕の長さおよび脚の長さの少なくとも一方の情報を含んでもよい。同様に、ゴルフクラブ情報に含まれる情報は、これに限られず、例えば、ゴルフクラブ情報は、クラブ長と番手のいずれか一方の情報を含まなくてもよいし、他の情報を含んでもよい。
【００３７】
次に、ユーザー２は、スイング解析装置２０を介して計測開始操作（センサーユニット１０に計測を開始させるための操作）を行う（Ｓ２）。ユーザー２は、スイング解析装置２０からアドレス姿勢（スイング開始前の基本姿勢）をとるように指示する通知（例えば音声による通知）を受けた後（Ｓ３がＹ）、ゴルフクラブ３のシャフトの長手方向がターゲットライン（打球の目標方向）に対して垂直となるようにアドレスの姿勢をとり、所定時間以上静止する（Ｓ４）。次に、ユーザー２は、スイング解析装置２０からスイングを許可する通知（例えば音声による通知）を受けた後（Ｓ５がＹ）、スイング動作を行い、ゴルフボール４を打球する（Ｓ６）。なお、本実施形態は必ずしも打球するものに限らず、素振りにも適用でき、打球に相当するタイミングを検出する機能を有していてもよい。
【００３８】
ユーザー２が図４のステップＳ２の計測開始操作を行うと、スイング解析装置２０はセンサーユニット１０に計測開始コマンドを送信し、センサーユニット１０は計測開始コマンドを受信して３軸加速度と３軸角速度の計測を開始する。センサーユニット１０は、所定周期（例えば１ｍｓ）で３軸加速度と３軸角速度を計測し、計測したデータを順次、スイング解析装置２０に送信する。
【００３９】
スイング解析装置２０は、図４のステップＳ５に示したスイング開始の許可をユーザー２に通知し、その後、センサーユニット１０の計測データに基づいて、ユーザー２がゴルフクラブ３を用いて打球したスイング動作（図４のステップＳ６）を解析する。
【００４０】
図５に示すように、ユーザー２が図４のステップＳ６で行うスイング動作は、アドレス姿勢（静止状態）からスイング（バックスイング）を開始した後、バックスイング中にゴルフクラブ３のシャフトが水平になるハーフウェイバック、バックスイングからダウンスイングに切り替わるトップ、ダウンスイング中にゴルフクラブ３のシャフトが水平になるハーフウェイダウンの各状態を経て、ゴルフボール４を打球するインパクト（打球）に至る動作を含んでいる。そして、スイング解析装置２０は、スイングが行われた時刻（日時）、ユーザー２の識別情報や性別、ゴルフクラブ３の種類、スイング動作の解析結果の情報を含むスイング解析データを生成し、ネットワーク４０（図１参照）を介して、スイング診断装置３０、および記憶領域として機能する情報処理装置５０（図１参照）に送信する。
【００４１】
スイング診断装置３０は、スイング解析装置２０が送信した運動データ（運動解析情報としてのスイング解析情報を含むスイング情報）、および該運動データに係る位置情報を含むスイング解析データを、ネットワーク４０を介して受信して保存する。従って、ユーザー２が図４の手順に従ってスイング動作を行う度に、スイング解析装置２０により生成されたスイング解析データがスイング診断装置３０に保存され、スイング解析データリストが構築される。
【００４２】
情報処理装置５０は、ユーザー２の運動データ、および該運動データに係る位置情報を記憶する記憶領域として機能し、スイング解析装置２０が送信した運動データ（運動解析情報としてのスイング解析情報を含むスイング情報）、および該運動データに係る位置情報を含むスイング解析データを、ネットワーク４０を介して受信して保存する。
【００４３】
本実施形態では、ユーザー２は、スイング解析装置２０の操作部２３（図６参照）を介してスイング診断アプリケーションを起動させると、スイング解析装置２０はスイング診断装置３０と通信し、スイング解析装置２０の表示部２５（図６参照）にスイング解析データの選択画面（不図示）が表示される。この選択画面には、スイング診断装置３０に保存されているスイング解析データリストに含まれるユーザー２の各スイング解析データについて、時刻（日時）、使用されたゴルフクラブの種類およびスイングの解析結果としての一部の指標の値が含まれている。
【００４４】
また、この選択画面には、各スイング解析データに対応づけられたチェックボックスがあり、ユーザー２は、スイング解析装置２０の操作を介して、いずれか一つのチェックボックスをチェックする。これにより、スイング解析装置２０はスイング診断装置３０と通信し、スイング解析装置２０の表示部２５に、選択画面でチェックされたチェックボックスに対応づけられたスイング解析データについて、例えばスイング診断の対象となる入力データ編集画面（不図示）が表示される。なお、入力データ編集画面には、性別、ゴルフレベル、ゴルフクラブの種類（ドライバーとアイアンのいずれであるか）およびスイングの各指標に関して、選択されたスイング解析データに基づいて得られる値が初期値として含まれている。
【００４５】
入力データ編集画面における、性別、ゴルフレベル、ゴルフクラブの種類および各指標値からなる入力データは、編集可能になっている。ユーザー２は、スイング解析装置２０の操作部２３（図６参照）を介して、入力データを編集することができる。また、ユーザー２は、入力データ編集画面からの入力データとして、例えばホールごとのゴルフのスコアを入力する。これらにより、スイング解析装置２０は、入力データをスイング診断装置３０に送信する。
【００４６】
スイング診断装置３０は、この入力データ（入力結果）を受信し、当該入力データを用いて、複数の項目のレベルを算出する。例えば、スイング診断装置３０は、「Ｖゾーン」、「回転」、「スピード」、「インパクト」、「スイングのテンポ」、および「スイング効率」の各項目について解析し、レベルを算出したり評価情報を生成したりしてもよい。
【００４７】
スイング解析装置２０は、複数の項目のレベルおよび評価情報を受信し、表示部２５に、スイング診断画面を表示させる。ユーザー２は、このスイング診断画面により、診断結果として、複数の項目のレベルと総合点を把握することができる。
【００４８】
１−２．センサーユニットおよびスイング解析装置の構成
図６は、センサーユニット１０およびスイング解析装置２０の構成例を示す図である。図６に示すように、センサーユニット１０は、加速度センサー１２、角速度センサー１４、信号処理部１６および通信部１８を含んで構成されている。ただし、センサーユニット１０は、適宜、これらの構成要素の一部が削除または変更され、あるいは、他の構成要素が付加された構成であってもよい。
【００４９】
慣性センサーとしての加速度センサー１２は、互いに交差する（理想的には直交する）３軸方向の各々に生じる加速度を計測し、計測した３軸方向の各々の加速度の大きさおよび向きに応じたデジタル信号（加速度データ）を出力する。
【００５０】
慣性センサーとしての角速度センサー１４は、互いに交差する（理想的には直交する）３軸の各々の軸回りに生じる角速度を計測し、計測した３軸方向の各々の角速度の大きさおよび向きに応じたデジタル信号（角速度データ）を出力する。
【００５１】
信号処理部１６は、加速度センサー１２と角速度センサー１４から、それぞれ加速度データと角速度データを受け取って時刻情報を付して不図示の記憶部に記憶し、記憶した計測データ（加速度データと角速度データ）に時刻情報を付して通信用のフォーマットに合わせたパケットデータを生成し、通信部１８に出力する。
【００５２】
加速度センサー１２および角速度センサー１４は、それぞれ３軸が、センサーユニット１０に対して定義される直交座標系（センサー座標系）の３軸（ｘ軸、ｙ軸、ｚ軸）と一致するようにセンサーユニット１０に取り付けられるのが理想的だが、実際には取り付け角の誤差が生じる。そこで、信号処理部１６は、取り付け角誤差に応じてあらかじめ算出された補正パラメーターを用いて、加速度データおよび角速度データをｘｙｚ座標系のデータに変換する処理を行う。
【００５３】
通信部１８は、信号処理部１６から受け取ったパケットデータをスイング解析装置２０に送信する処理や、スイング解析装置２０から計測開始コマンド等の各種の制御コマンドを受信して信号処理部１６に送る処理等を行う。信号処理部１６は、制御コマンドに応じた各種処理を行う。
【００５４】
スイング解析装置２０は、処理部２１、通信部２２、操作部２３、記憶部２４、表示部２５、音出力部２６、通信部２７、および位置情報取得部４３を含んで構成されている。ただし、スイング解析装置２０は、適宜、これらの構成要素の一部が削除または変更され、あるいは、他の構成要素が付加された構成であってもよい。
【００５５】
通信部２２は、センサーユニット１０から送信されたパケットデータを受信し、処理部２１に送る処理や、処理部２１からの制御コマンドをセンサーユニット１０に送信する処理等を行う。また、通信部２２は、ネットワーク４０を介してゴルフ場のコース配置などを含むコース情報を受信する処理を行う。
【００５６】
操作部２３は、ユーザー２の操作に応じたデータを取得し、処理部２１に送る処理を行う。操作部２３は、例えば、タッチパネル型ディスプレイ、ボタン、キー、マイクなどであってもよい。
【００５７】
記憶部２４は、例えば、ＲＯＭ（Read Only Memory）やフラッシュＲＯＭ、ＲＡＭ（Random Access Memory）等の各種ＩＣメモリーやハードディスクやメモリーカードなどの記憶媒体等により構成される。記憶部２４は、処理部２１が各種の計算処理や制御処理を行うためのプログラムや、アプリケーション機能を実現するための各種プログラムやデータ等を記憶している。
【００５８】
本実施形態では、記憶部２４には、処理部２１によって読み出され、ユーザー２の位置情報を取得し、取得された位置情報から、所定の位置範囲における過去の運動データを検索し、抽出された過去の運動データの傾向を出力する工程と、をコンピューターに実行させるプログラムであるスイング解析プログラム２４０が記憶されている。スイング解析プログラム２４０は、あらかじめ不揮発性の記憶媒体（コンピューターが読み取り可能な記憶媒体）に記憶されていてもよいし、処理部２１がネットワーク４０を介して不図示のサーバーあるいはスイング診断装置３０からスイング解析プログラム２４０を受信して記憶部２４に記憶させてもよい。
【００５９】
また、本実施形態では、記憶部２４には、ゴルフクラブ情報２４２、身体情報２４４、センサー装着位置情報２４６、ゴルフコース情報２４７、およびスイング解析データ２４８が記憶される。例えば、ユーザー２が、操作部２３を操作して、入力画面から、使用するゴルフクラブ３の仕様情報（例えば、シャフトの長さ、重心の位置、ライ角、フェース角、ロフト角等の情報などの少なくとも一部の情報）を入力し、入力された仕様情報をゴルフクラブ情報２４２としてもよい。あるいは、ユーザー２が、図４のステップＳ１において、ゴルフクラブ３の型番を入力（あるいは、型番リストから選択）し、記憶部２４にあらかじめ記憶されている型番毎の仕様情報のうち、入力された型番の仕様情報をゴルフクラブ情報２４２としてもよい。なお、記憶部２４には、ユーザー２のゴルフレベル（不図示）が記憶されてもよい。
【００６０】
また、例えば、ユーザー２が、操作部２３を操作して、入力画面から、身体に係る情報を入力し、入力された身体情報を身体情報２４４としてもよい。また、例えば、図４のステップＳ１において、ユーザー２が操作部２３を操作してセンサーユニット１０の装着位置とゴルフクラブ３のグリップエンドとの間の距離を入力し、入力された距離の情報をセンサー装着位置情報２４６としてもよい。あるいは、センサーユニット１０を決められた所定位置（例えば、グリップエンドから２０ｃｍの距離など）に装着するものとして、当該所定位置の情報がセンサー装着位置情報２４６としてあらかじめ記憶されていてもよい。また、ユーザー２は、操作部２３を操作し、ネットワーク４０を介してプレーするゴルフ場の情報をゴルフコース情報２４７としてあらかじめ記憶させてもよい。
【００６１】
スイング解析データ２４８は、スイングが行われた時刻（日時）、ユーザー２の識別情報や性別、ゴルフクラブ３の種類とともに、処理部２１（スイング解析部２１１）によるスイング動作の解析結果の情報を含むデータである。
【００６２】
また、記憶部２４は、処理部２１の作業領域として用いられ、操作部２３が取得したデータ、処理部２１が各種プログラムに従って実行した演算結果等を一時的に記憶する。さらに、記憶部２４は、処理部２１の処理により生成されたデータのうち、長期的な保存が必要なデータを記憶してもよい。
【００６３】
表示部２５は、処理部２１の処理結果を文字、グラフ、表、アニメーション、その他の画像として表示するものである。表示部２５は、例えば、ＣＲＴ、ＬＣＤ、タッチパネル型ディスプレイ、ヘッドマウントディスプレイ（ＨＭＤ：Head Mounted Display）などであってもよい。なお、一つのタッチパネル型ディスプレイで操作部２３と表示部２５の機能を実現するようにしてもよい。
【００６４】
表示部２５に表示される解析情報は、相対フェース角およびクラブパス（入射角）に基づくインパクトと、ゴルフクラブ３のグリップにおける減速量および各動作のタイミングに基づく効率と、トップ時のシャフト軸の回転角およびフェース角に基づく回転と、打球時におけるゴルフクラブ３の速度に基づくヘッドスピードと、アドレス開始、スイング開始、トップおよびインパクトのタイミングに基づくスイングのテンポと、の少なくとも一つに係る情報を含んでいることが好ましい。なお、複数のスイングに関しての実力（レベル）を示す重要な指標の解析データとしては、上述に限らず、例えば打球時およびアドレス時のライ角に基づくハンドアップやフェース角およびアタック角に基づくダウンブローなどの指標を含んでいてもよい。
【００６５】
表示部２５は、例えば、図９Ａ、図９Ｂの表示例１、表示例２に示されているような画像を表示する。なお、表示例の詳細な説明については後述するため、ここでの説明を省略する。また、表示部２５における操作部２３の機能としては、表示部２５に触れる（画面タッチ）などによって表示内容を切り替えたり、拡大縮小したりすることができる。
【００６６】
音出力部２６は、処理部２１の処理結果（解析情報）を音声やブザー音等の音情報として提示するために出力するものである。音出力部２６は、例えば、スピーカーやブザーなどであってもよい。
【００６７】
通信部２７は、ネットワーク４０を介してスイング診断装置３０の通信部（不図示）との間でデータ通信を行うものである。例えば、通信部２７は、スイング解析処理の終了後、処理部２１からスイング解析データ２４８を受け取って、スイング診断装置３０の通信部に送信する処理を行う。また、例えば、通信部２７は、選択画面の表示に必要な情報をスイング診断装置３０の通信部から受信して処理部２１に送る処理や、該選択画面において選択された情報を処理部２１から受け取ってスイング診断装置３０の通信部に送信する処理を行う。また、例えば、通信部２７は、入力データ編集画面の表示に必要な情報をスイング診断装置３０の通信部から受信して処理部２１に送る処理を行う。また、例えば、通信部２７は、処理部２１から、該入力データ編集画面における診断開始ボタンが押下されたときの入力データを受け取ってスイング診断装置３０の通信部に送信する処理を行う。また、例えば、通信部２７は、スイング診断画面の表示に必要な情報をスイング診断装置３０の通信部から受信して処理部２１に送る処理を行う。
【００６８】
処理部２１は、各種プログラムに従い、通信部２２を介してセンサーユニット１０に制御コマンドを送信する処理や、通信部２２を介してセンサーユニット１０から受信したデータに対する各種の計算処理を行う。また、処理部２１は、各種プログラムに従い、記憶部２４からスイング解析データ２４８を読み出して、通信部２７を介してスイング診断装置３０に送信する処理を行う。また、処理部２１は、後述する演算部としてのスイング診断装置３０の処理部（不図示）によって複数のゴルフのスイングに対して運動状態が数値化された数値の中で所定の範囲から逸脱したスイングをスイング解析部２１１にて検出し、複数のスイングにおける検出結果から、ユーザー２のゴルフスイングや移動などを含む動作の実態、および強み、弱みを示すプレー状態を求める。そして、処理部２１は、求められたユーザー２のプレー状態を表す画像に対応する画像データとして出力することができる。
【００６９】
また、処理部２１は、通信部２２を介して入力されたゴルフ場のコース配置や標高などをゴルフコース情報２４７として記憶部２４に記憶させることができる。また、処理部２１は、後述する位置情報取得部４３から送られた現在位置データに基づいて、ユーザー２の位置情報を算出する。なお、位置情報には、ユーザー２のコース内における移動軌跡や移動時刻（停留時間）などの情報を含んでいる。そして、処理部２１は、算出されたユーザー２の位置情報と、上述の複数のスイングにおける検出結果とから、ユーザーのプレー状態を表す画像に対応する画像データとして出力することができる。このように、算出されたユーザー２の位置情報と、ゴルフのスイングにおける運動状態の検出結果とを併せてプレー状態を出力するため、ユーザー２の移動状態などを含めたより細密なプレー状態の出力とすることができる。また、処理部２１は、その他の各種の制御処理を行う。
【００７０】
処理部２１は、スイング解析プログラム２４０を実行することにより、データ取得部２１０、スイング解析部２１１、画像データ生成部２１２、記憶処理部２１３、表示処理部２１４および音出力処理部２１５として機能する。なお、処理部２１は、コンピューターとしての機能を有している。
【００７１】
特に、本実施形態では、処理部２１は、スイング解析プログラム２４０を実行することにより、データ取得部２１０、スイング解析部２１１、画像データ生成部２１２、記憶処理部２１３、表示処理部２１４および音出力処理部２１５として機能し、ユーザー２のスイング動作を解析する処理（スイング解析処理）、およびユーザー２の移動などを含む位置情報、ユーザー２の現在位置にかかる過去の運動データの傾向を求めて出力する処理を行う。
【００７２】
データ取得部２１０は、通信部２２がセンサーユニット１０から受信したパケットデータを受け取り、受け取ったパケットデータから時刻情報および計測データを取得し、記憶処理部２１３に送る処理を行う。また、データ取得部２１０は、取得されたユーザー２の位置情報から、予め設定されている所定の位置範囲における過去の運動データ（運動解析情報としてのスイング情報）を、記憶されている情報処理装置５０から検索し、対象となる過去の運動データ（スイング情報）を抽出する処理を行う。また、データ取得部２１０は、通信部２７がスイング診断装置３０から受信した各種の画面の表示に必要な情報を受け取ったり、抽出された過去の運動データ（スイング情報）の傾向を示す情報を生成したりして画像データ生成部２１２に送る処理を行う。
【００７３】
記憶処理部２１３は、記憶部２４に対する各種プログラムや各種データのリード／ライト処理を行う。例えば記憶処理部２１３は、データ取得部２１０から受け取った時刻情報と計測データとを対応づけて記憶部２４に記憶させる処理や、スイング解析部２１１が算出した各種の情報やスイング解析データ２４８等を記憶部２４に記憶させる処理を行う。
【００７４】
スイング解析部２１１は、センサーユニット１０が出力する計測データ（記憶部２４や情報処理装置５０（図１参照）に記憶されている計測データ）や操作部２３からの入力データなどを用いて、ユーザー２のスイング動作を解析し、スイングが行われた時刻（日時）、ユーザー２の識別情報や性別、ゴルフクラブ３の種類、スイング動作の解析結果の情報を含むスイング解析データ２４８を生成する処理を行う。特に、本実施形態では、スイング解析部２１１は、スイング動作の解析結果の情報の少なくとも一部として、ゴルフのスイングの各指標の値を算出する。なお、スイング解析データ２４８には、インパクト、Ｖゾーン、効率（スイング効率）、回転、ヘッドスピード、スイングのテンポの少なくとも一つに係る情報が含まれていてもよい。
【００７５】
１−３．データ解析方法
ユーザー２は、上述したように算出され、情報処理装置５０（図１参照）などの記憶領域に記憶されたユーザー２の運動データ、および該運動データに係る位置情報から検索された過去の運動データの傾向が出力されることによって、現在位置に係る過去の運動データの一般的な傾向を示す情報を含めた解析情報を得ることができる。これにより、ユーザー２は、この一般的な傾向を示す情報を基に戦略を立てながら運動が行えるようになり、より納得性を得ることのできる解析結果（アドバイス情報）を得ることができる。
【００７６】
なお、以下で説明するように、上記運動データをゴルフに係る運動解析情報とすることができ、上記位置データをゴルフのラウンドに係る位置情報とすることが好適である。このように、運動データをゴルフに係る運動解析情報、位置データをゴルフのラウンドに係る位置情報とすることにより、ユーザー２のゴルフのラウンドに係る位置情報に基づいて、記憶領域に蓄積されている運動解析情報（ゴルフスイングの解析データ）から検索されて抽出された所定の位置範囲における過去の運動解析情報の傾向が出力される。これにより、ユーザー２の現在のラウンド位置（現在位置）からショットする際の、この現在位置に係る過去の運動解析情報の一般的な傾向を示す情報を含めたアドバイス情報を、ユーザー２に提示することができる。したがって、ユーザー２は、この一般的な傾向を示すアドバイス情報を基に戦略を立てながらラウンドが行えるようになり、より納得性を得ることのできるゴルフスイングに係る解析結果（アドバイス情報）を得ることができる。
【００７７】
このデータ処理方法について、ゴルフに係る運動解析方法を例示し、図７、図８、図９Ａ、図９Ｂ、図１０、および図１１を参照して詳細に説明する。図７は、運動解析システムにおけるデータ処理方法の実施形態１に係る工程を説明するフローチャートである。図８は、過去の運動データの傾向に関するアドバイス項目を説明するブロック図である。図９Ａ、および図９Ｂは、現在位置に係る過去の運動データの傾向をアドバイスするアドバイス表示例を示す図であり、図９Ａは表示例１を示し、図９Ｂは表示例２を示す。図１０は、運動解析システムにおけるデータ処理方法の実施形態２に係る工程を説明するフローチャートである。図１１は、ゴルフレベルの分類例を説明する図である。
【００７８】
（実施形態１）
以下、図７のフローチャートを参照しながら、本実施形態に係るスイング解析方法（ゴルフに係る運動解析方法）の実施形態１について説明する。なお、以下では、上述したスイング解析システムの構成要素については、同符号を付して説明する。
【００７９】
図７のフローチャートに示すステップ（工程）に先立って、ユーザー２は、フローチャートには記載されていないが、予めプレーするゴルフ場を選択し、そのゴルフ場に係るコース情報を取得し、第１打のスイングを行う。
【００８０】
第１打のスイングを終了し、第２打のショット位置に到着したユーザー２は、操作部２３を操作して第２打の位置情報を位置情報取得部４３によって取得する（ステップＳ１００）。なお、取得された第２打の位置情報は、処理部２１に送信される。
【００８１】
次に、処理部２１は、データ取得部２１０において、取得された第２打の位置情報から、予め設定されている所定の位置範囲（本例では、第２打の位置に対して設定されている位置範囲）における過去の運動データ（運動解析情報としてのスイング情報。以下、「スイングデータ」と呼ぶ。）を、記憶されている情報処理装置５０から検索し（ステップＳ１１０）、対象となる過去のスイングデータを抽出する。なお、ここで抽出される過去のスイングデータは、複数のスイングによって解析されたデータのスイングデータ群（運動データ群）である。
【００８２】
次に、処理部２１は、データ取得部２１０において、抽出された過去のスイングデータ（スイングデータ群）に基づいて、過去のスイングデータの傾向に係る情報を生成し、第２打に係る過去のスイングデータの傾向を示すアドバイス情報として、画像データ生成部２１２に出力する（ステップＳ１２０）。ここで、スイングデータの傾向から得ることのできるアドバイス情報としては、例えば図８に示すような、第２打として望ましいボールの着地位置（停止位置）としての狙い位置Ｄ６０と、狙い位置Ｄ６０に係る打ち出し方向情報Ｄ６２（打ち出し方向）や打ち出し距離情報Ｄ６４（打球の飛距離）と、打ち出し距離情報Ｄ６４に係るスイングの強弱情報Ｄ６６やクラブ選択情報Ｄ６８（ゴルフクラブ情報）と、の少なくともいずれかを含むことができる。また、クラブ毎のスイングの成否に基づいて、クラブ選択情報Ｄ６８とアドバイス情報の優先度とを紐づけて出力することができる。
【００８３】
このようなスイングデータの傾向からのアドバイス情報とすることにより、ユーザー２は、ゴルフにおける打球の飛距離、打ち出し方向、およびゴルフクラブ情報の少なくともいずれかを運動データの傾向として得ることができ、現在位置におけるスイングの、より詳細、且つ的確なアドバイス情報を得ることができる。なお、過去のスイングデータが少ない場合や、ユーザーの要求（特定のスイングデータが欲しい）などに応じて、過去のスイングデータをそのままアドバイス情報として画像データ生成部２１２に出力してもよい。
【００８４】
次に、処理部２１は、画像データ生成部２１２において、第２打に係るスイングの過去のスイングデータの傾向を示すアドバイス情報を表示させるための表示データを生成する（ステップＳ１３０）。
【００８５】
次に、処理部２１は、ステップＳ１３０において生成された、第２打および第２打の位置に係るスイングの過去のスイングデータの傾向を示すアドバイス情報を示す表示データを表示部２５に送り、例えば、図９Ａまたは図９Ｂに示して後述するような画像情報として表示（ステップＳ１４０）し、一連の処理を終了する。
【００８６】
なお、表示するアドバイス情報は、例えば、後述する表示例１および表示例２のように、複数のアドバイス情報として形成されてもよく、ユーザー２は、複数のアドバイス情報から自身の状況にあったアドバイス情報を選択し、実行することができる。また、図７のフローチャートにおいて、可能な範囲で各工程の順番を適宜変えてもよい。また、図９Ａ、または図９Ｂに示すように、アドバイス情報は、コース情報と併せて表示しても良い。
【００８７】
ここで、図９Ａ、および図９Ｂを参照して、第２打および第２打の位置に係るスイングの過去のスイングデータの傾向を示す複数のアドバイス情報として第１のアドバイス情報を示す表示例１、および第２のアドバイス情報を示す表示例２を説明する。複数のアドバイス情報を得たユーザー２は、ユーザー２自身の現状にあったアドバイス情報を選択し、実行することができる。
【００８８】
図９Ａに示す、第１のアドバイス情報としての表示例１では、詳細な解析結果を知りたいホールとして、ホール＃５を選択した場合を示している。表示例１では、ホール名（ホール＃５）８００と、ホール図で示すホール概要８１０と、各ショットの打撃位置であるショット位置と、望ましい打ち出し方向を示す矢印８０５と、第２打の打球の狙い位置を示す位置８０３と、狙い位置の詳細を示す窓表示８０７と、とが表示部２５に表示されている。
【００８９】
具体的に表示例１では、各ショットの打撃位置として、ティーグランド８１２における第１打の打撃位置としてのティーショット位置８０１、および第２打の打撃位置としてのセカンドショット位置８０２が表示されている。このティーショット位置８０１、およびセカンドショット位置８０２は、取得された位置情報から得ることができる。また、位置情報として、カップ位置を示すピンマーク８１１を含むグリーン８２４が表示されている。
【００９０】
また、表示例１の窓表示８０７には、セカンドショット位置８０２から打撃されたボールの狙い所となる着地位置（停止位置）である狙い位置である位置８０３までの距離（本例では「１８０［ｙｄ］（１８０ヤード）」を例示）、第２打のショットに対して選択されたクラブの種類（本例では５番アイアンを示す「５Ｉ」のマーク）、および第２打のショットの強弱（本例では強いスイングを示す「やや強」を例示）が、表示されている。
【００９１】
また、図９Ｂに示す第２のアドバイス情報としての表示例２は、前述の第１のアドバイス情報とは異なるアドバイス情報として、第２打の打球の狙い位置を変えた例を示したものである。表示例２では、ホール名（ホール＃５）８００と、ホール図で示すホール概要８１０と、各ショットの打撃位置であるショット位置（ティーショット位置８０１およびセカンドショット位置８０２）と、望ましい打ち出し方向を示す矢印８０５ａと、第２打の打球の狙い位置を示す位置８０３ａと、狙い位置の詳細を示す窓表示８０７ａと、とが表示部２５に表示されている。なお、ホール名８００と、ホール概要８１０と、各ショットの打撃位置であるショット位置（ティーグランド８１２におけるティーショット位置８０１およびセカンドショット位置８０２）は、表示例１と同様である。また、カップ位置を示すピンマーク８１１を含むグリーン８２４についても、表示例１と同様である。
【００９２】
具体的に表示例２において、窓表示８０７ａには、セカンドショット位置８０２から打撃されたボールの狙い所となる着地位置（停止位置）である狙い位置を示す位置８０３ａまでの距離（本例では「２１０［ｙｄ］（２１０ヤード）」を例示）、第２打のショットに対して選択されたクラブの種類（本例では５番ウッド（クリーク）を示す「５Ｗ」のマーク）、および第２打のショットの強弱（本例では強いスイングを示す「強」を例示）が、表示されている。
【００９３】
上述した第１のアドバイス情報の表示例１および第２のアドバイス情報の表示例２は、第２打の位置情報に基づいて得られた過去のスイングデータを検索し、抽出された複数の過去のスイングデータの傾向に基づき、例えば大きな傾向群の二つを選択して示すことができる。
【００９４】
なお、アドバイス情報は、過去のスイングデータの傾向に基づいて優先度を付けて表示しても良い。例えば、表示例１を表示例２より優先度を高くして表示する事ができる。具体的には、図９Ａに示す画像情報に、おすすめ度「高」、図９Ｂに示す画像情報に、おすすめ度「中」といったように文字情報で示すことができる。
【００９５】
また、第２打の望ましい打ち出し方向を教示している矢印８０５，８０５ａは、過去のスイングデータの傾向に沿った基線部と矢部とによって打ち出し方向が示されている。なお、打ち出し方向に幅を持たせるために、矢印の基線部を太幅にすることも可能である。
【００９６】
このような表示方法によれば、ユーザー２のラウンドにおいてショットする際の、現在のショット位置に係る過去の運動解析情報の一般的な傾向を示す情報を含めたアドバイス情報（例えば表示例１または表示例２）を、ユーザー２に提示することができる。したがって、ユーザー２は、この一般的な傾向を示すアドバイス情報を基に戦略を立てながらラウンドが行えるようになり、より納得性を得ることのできるゴルフスイングに係る解析結果（アドバイス情報）を得ることができる。
【００９７】
このような実施形態１に係るデータ処理方法によれば、ユーザー２の位置情報である第２打の位置に基づいて、記憶領域（情報処理装置５０）に記憶、蓄積されているスイングデータ（スイングデータに係る位置情報も含む運動情報）から検索されて抽出された所定の位置範囲（本例では、第２打の位置に対して設定されている位置範囲）における過去のスイングデータの傾向が出力される。これにより、ユーザー２の現在の位置でのスイング（ショット）において、この現在位置に係る過去のスイングデータの一般的な傾向を示す情報を含めた解析情報を、ユーザー２に、例えば表示部２５から画像情報として提示することができる。したがって、ユーザー２は、この一般的な傾向を示す情報を基に戦略を立てながらスイングが行えるようになり、より納得性を得ることのできる解析結果（アドバイス情報）を得ることができる。
【００９８】
（実施形態２）
以下、図１０のフローチャートを参照しながら、本実施形態に係る動解析システムにおけるデータ処理方法の実施形態２について説明する。なお、以下では、上述した運動解析システムの構成要素については、同符号を付して説明する。
【００９９】
まず、図１０のフローチャートに示すステップ（工程）に先立って、ユーザー２は、フローチャートには記載されていないが、予めプレーするゴルフ場を選択し、そのゴルフ場に係るコース情報を取得する。
【０１００】
図１０のフローチャートに戻り、ユーザー２は、自身のゴルフレベル（例えば、「中級者」）を選択し、入力する（ステップＳ２００）。その後、ユーザー２は、第１打としてティーショットのスイングを行う。
【０１０１】
なお、ここでのゴルフレベルは、例えばスコアレベルに基づいて分類されるプレーヤーの技量の分類として示すことができる。ゴルフレベルの分類例としては、図１１に示す分類例３００のように、例えば、ハンディキャップがシングル以下を上級者３１０、スコアアベレージが８０〜９０を中級者３２０、スコアアベレージが９０台（１００切り）を初級者３３０、スコアアベレージが１００以上を初任者３４０、などのようにレベル分けとすることができる。また、ゴルフレベルは、例えばスコアレベルに基づいて分類されるプレーヤーの技量以外に、プレーヤーの年齢や体格の情報、および、スイングデータ（飛距離等）によってレベル分けすることができる。
【０１０２】
第１打のスイングを終了し、第２打のショット位置に到着したユーザー２は、操作部２３を操作して第２打の位置情報を位置情報取得部４３によって取得する（ステップＳ２１０）。なお、取得された第２打の位置情報は、処理部２１に送信される。
【０１０３】
次に、処理部２１は、データ取得部２１０において、取得された第２打の位置情報から、予め設定されている所定の位置範囲における過去の運動データ（運動解析情報としてのスイング情報。以下、「スイングデータ」と呼ぶ。）を、記憶されている情報処理装置５０から検索し（ステップＳ２２０）、ユーザー２のゴルフレベルに対応した、対象となる過去のスイングデータを抽出する。換言すれば、ユーザー２と同程度のゴルフレベル（技量）の過去のスイングデータを抽出する。なお、ここで抽出される過去のスイングデータは、複数のスイングによって解析されたデータのスイングデータ群（運動データ群）である。
【０１０４】
次に、処理部２１は、データ取得部２１０において、抽出された過去のスイングデータ（スイングデータ群）に基づいて、過去のスイングデータの傾向に係る情報を生成し、ユーザー２のゴルフレベルに対応した第２打に係る過去のスイングデータの傾向を示すアドバイス情報として、画像データ生成部２１２に出力する（ステップＳ２３０）。なお、ここでのスイングデータの傾向から得ることのできるアドバイス情報は、実施形態１において図８を参照して説明した項目と同様であるのでここでの説明を省略する。
【０１０５】
次に、処理部２１は、画像データ生成部２１２において、ユーザー２のゴルフレベルに対応した第２打に係るスイングの過去のスイングデータの傾向を示すアドバイス情報を表示させるための表示データを生成する（ステップＳ２４０）。
【０１０６】
次に、処理部２１は、ステップＳ２４０において生成された、第２打および第２打の位置に係るスイングの、ユーザー２のゴルフレベルに対応した過去のスイングデータの傾向を示すアドバイス情報を示す表示データを表示部２５に送り、例えば、実施形態１において図９Ａまたは図９Ｂを参照して説明したような画像情報として表示（ステップＳ２５０）し、一連の処理を終了する。
【０１０７】
なお、表示するアドバイス情報は、例えば、前述の表示例１および表示例２のように、複数のアドバイス情報として形成されてもよく、ユーザー２は、複数のアドバイス情報から自身の状況にあったアドバイス情報を選択し、実行することができる。また、図１０のフローチャートにおいて、可能な範囲で各工程の順番を適宜変えてもよい。
【０１０８】
このような実施形態２に係るデータ処理方法によれば、ユーザー２は、ユーザー２自身と同程度の技量のゴルフレベルに対応した運動解析情報の傾向を得ることができる。換言すれば、ユーザー２は、ユーザー２自身のゴルフレベルに合った、より的確なゴルフスイングに係る解析結果（アドバイス情報）を得ることができる。
【０１０９】
なお、運動データとしてのスイングデータは、複数の異なるユーザーのスイングデータとすることができる。このように、記憶されている複数の異なるユーザーのスイングデータから、所定の位置範囲における過去のスイングデータの傾向が出力されることにより、ユーザー２に提示される現在位置に係る過去のスイングデータの一般的な傾向を示す情報を含めた解析情報の信頼度を高めることができる。
【０１１０】
また、情報処理装置５０に記憶される運動データには、センサーユニット１０で計測された計測データ（生データも含む）やスイング解析装置２０で解析されたユーザー２の運動データ（運動解析情報としてのスイング情報）を含むことができる。
【０１１１】
本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成、または同一の目的を達成することができる構成を含む。また、本発明は、実施形態で説明した構成に公知技術を付加した構成を含む。
【符号の説明】
【０１１２】
１…運動解析システム、２…ユーザー、３…ゴルフクラブ、３ａ…ヘッド、４…ゴルフボール、８…ＧＰＳ衛星、１０…センサーユニット、１２…加速度センサー、１４…角速度センサー、１６…信号処理部、１８…通信部、２０…スイング解析装置、２１…処理部、２２…通信部、２３…操作部、２４…記憶部、２５…表示部、２６…音出力部、２７…通信部、３０…スイング診断装置、４０…ネットワーク、４３…位置情報取得部、２１０…データ取得部、５０…情報処理装置（記憶領域）、２１１…スイング解析部、２１２…画像データ生成部、２１３…記憶処理部、２１４…表示処理部、２１５…音出力処理部、２４０…スイング解析プログラム、２４２…ゴルフクラブ情報、２４４…身体情報、２４６…センサー装着位置情報、２４７…ゴルフコース情報。
【図１】
2018130203.tif 000003
【図２】
2018130203.tif 000004
【図３】
2018130203.tif 000005
【図４】
2018130203.tif 000006
【図５】
2018130203.tif 000007
【図６】
2018130203.tif 000008
【図７】
2018130203.tif 000009
【図８】
2018130203.tif 000010
【図９Ａ】
2018130203.tif 000011
【図９Ｂ】
2018130203.tif 000012
【図１０】
2018130203.tif 000013
【図１１】
2018130203.tif 000014